(57)【要約】【課題】メダルタンクから不正にメダルを抜き取る行為を防止する。【解決手段】収納箱１２ａの前面には下扉１３ｂが開閉自在に保持されている。収納箱１２ａにはメダルタンク４１が収められており、下扉１３ｂを開放するとメダルタンク４１が露呈される。メダルタンク４１の上面には上面蓋５０が取り付けられている。上面蓋５０には、スリット状の開口５３が形成されており、メダル投入口１９から投入されたメダルは開口５３を介してメダルタンク４１に投入される。開口５３は、メダルの通過は許容するが、手は差し込めないようにその形状や配置間隔が決定されている。上面蓋５０は、メダルタンク４１を収納箱１２ａから引き出した後、取っ手５７を引いて差し込み項５６から引き抜くことでメダルタンク４１から取り外せるようになっている。【選択図】図３
2009131302.tif 000002
【特許請求の範囲】
【請求項１】
前面側が開口した収納箱と、前記収納箱の前面に開閉自在に支持された前面扉とを備え、前記前面扉にメダルを投入するためのメダル投入口が形成された遊技機において、
前記収納箱内に収納された収納位置と、前記収納箱の開口から前記収納箱の前方へ向けて引き出された引き出し位置との間で移動自在に設けられ、前記メダル投入口から投入されたメダルを貯留するメダルタンクと、
メダルが通過可能なスリット状の開口が形成され、前記メダルタンクの上面を覆うように前記メダルタンクに取り付けられ、前記収納箱の側方または後方へ向けてスライドさせることによって前記メダルタンクから取り外される上面蓋とを備え、
前記スリット状の開口を介して前記メダル投入口から投入されたメダルが前記メダルタンクに貯留されるとともに、
前記収納箱に、前記メダルタンクが前記収納位置にセットされているときに前記上面蓋を取り外せないように、前記上面蓋の移動を規制するストッパを設け、
前記メダルタンクを前記引き出し位置に移動させることによって、前記上面蓋の取り外しが可能となることを特徴とする遊技機。
【請求項２】
前記収納箱と前記上面蓋は、前記上面蓋のうち前記上面蓋を取り外す際に移動させる移動方向の端部と前記収納箱の内壁との間の間隔が、前記上面蓋を取り外す際に前記上面蓋を移動させる距離に対して短く形成されており、
前記収納箱の内壁が前記ストッパとして機能することを特徴とする請求項１記載の遊技機。
【発明の詳細な説明】
【技術分野】
【０００１】
本発明は、パチンコ店などの遊技場で使用される遊技機に関するものである。
【背景技術】
【０００２】
本明細書中では遊技機の１つとしてパチスロ機を例に挙げて説明しているため、遊技を行うための遊技媒体としてメダルを用いて説明するが、遊技媒体としてはパチンコ玉など他の媒体も含む。また、「メダルのベット」には、実際にメダル投入口にメダルを投入することの他に、クレジットされたメダルをベットボタンなどにより投入することを含む。さらに、ハズレ及び複数種類の当選役のいずれかを決定する抽選を当選役抽選、当選役を構成する図柄を入賞有効ライン上に揃えた状態を入賞、当選役抽選により当選役に当選し、これが入賞するまでの状態を内部当選とする。
【０００３】
パチンコ店で使用されるスロットマシンはパチスロ機と称されている。パチスロ機は、前面側が開口した収納箱と、収納箱の前面に開閉自在に支持された前面扉とを備えている。そして、前面扉には、メダルを投入するためのメダル投入口が形成されている。また、収納箱には、メダル投入口から投入されたメダルを貯留するためのメダルタンクが設けられている。メダルタンクは、前面扉を開放した際に露呈される（下記特許文献１参照）。
【特許文献１】特開２００５−１６８７４３号公報
【発明の開示】
【発明が解決しようとする課題】
【０００４】
しかしながら、従来は、前面扉を不正な方法で開放し、収納箱内に手を差し込んでメダルタンクに貯留されているメダルを抜き取るといった不正行為が行われてしまうといった問題があった。
【０００５】
本発明は、上記背景を鑑みてなされたものであり、メダルタンクから不正にメダルを抜き取ることを防止できる遊技機を提供することを目的としている。
【課題を解決するための手段】
【０００６】
上記目的を達成するために、本発明の遊技機は、前面側が開口した収納箱と、前記収納箱の前面に開閉自在に支持された前面扉とを備え、前記前面扉にメダルを投入するためのメダル投入口が形成された遊技機において、前記収納箱内に収納された収納位置と、前記収納箱の開口から前記収納箱の前方へ向けて引き出された引き出し位置との間で移動自在に設けられ、前記メダル投入口から投入されたメダルを貯留するメダルタンクと、メダルが通過可能なスリット状の開口が形成され、前記メダルタンクの上面を覆うように前記メダルタンクに取り付けられ、前記収納箱の側方または後方へ向けてスライドさせることによって前記メダルタンクから取り外される上面蓋とを備え、前記スリット状の開口を介して前記メダル投入口から投入されたメダルが前記メダルタンクに貯留されるとともに、前記収納箱に、前記メダルタンクが前記収納位置にセットされているときに前記上面蓋を取り外せないように、前記上面蓋の移動を規制するストッパを設け、前記メダルタンクを前記引き出し位置に移動させることによって、前記上面蓋の取り外しが可能となることを特徴としている。
【０００７】
前記収納箱と前記上面蓋は、前記上面蓋のうち前記上面蓋を取り外す際に移動させる移動方向の端部と前記収納箱の内壁との間の間隔が、前記上面蓋を取り外す際に前記上面蓋を移動させる距離に対して短く形成されており、前記収納箱の内壁が前記ストッパとして機能するようにしてもよい。
【発明の効果】
【０００８】
本発明によれば、メダルタンクの上面を覆うように、スリット状の開口が形成された上面蓋を設けたので、仮に前面扉を開放することができても、上面蓋を取り外さないとメダルタンクに貯留されているメダルを抜き取ることができない。そして、上面蓋は、メダルタンクを収納箱から引き出さないと取り外せないので、上面蓋を取り外す行為は目立つものとなる。このため、メダルタンクから不正にメダルを抜き取るといった行為を防止できる。
【０００９】
また、メダルタンクを収納箱から引き出さないと上面蓋を取り外せないようにするためのストッパとして、収納箱の内壁を利用することで、別途ストッパを設ける場合と比較して構成が簡単でありコストを抑えることができる。
【発明を実施するための最良の形態】
【００１０】
図１に示すように、スロットマシン（遊技機）１１は、スロットマシン本体（遊技機本体）１２と前扉１３とから構成される。スロットマシン本体１２は、収納箱１２ａを備えており、収納箱１２ａには、遊技機本体を構成する各種構成部品が収納されている。前扉１３は、上扉１３ａと下扉（前面扉）１３ｂとからなり、これらは、スロットマシン本体１２に軸着されて開閉自在に保持されている。
【００１１】
上扉１３ａには表示窓１４が設けられている。表示窓１４の奥には第１リール１５ａ、第２リール１５ｂ、第３リール１５ｃが設けられている。第１〜第３リール１５ａ〜１５ｃの外周面には複数種類の図柄が配列されており、リールが停止すると表示窓１４を通して１リール当たり３個の図柄が表示される。スロットマシン１１では、横３本と斜め２本とからなる計５本の入賞有効ライン１６が設定されている。そして、第１〜第３リール１５ａ〜１５ｃが停止したときに入賞有効ライン１６上に停止した図柄の組み合わせによって当選役が入賞したか否かが表示される。
【００１２】
下扉１３ｂには、遊技の開始に先立ってメダル（遊技媒体）を投入するメダル投入口１９、第１〜第３リール１５ａ〜１５ｃの回転を開始させて図柄の変動表示を行わせるスタートレバー２０、回転しているリールを停止させるストップボタン２１ａ、２１ｂ、２１ｃ、並びに、メダルをメダル受け皿２２に払い出す払い出し口２３などが設けられている。
【００１３】
図２、図３に示すように、下扉１３ｂの背面側には、セレクタ３０、及び、払い出しシュート３２が設けられている。また、収納箱１２ａには、ホッパ装置４０が設けられている。セレクタ３０は、メダル投入口１９に接続されており、メダル投入口１９から適正なメダルが適正なタイミングで投入された際にこのメダルの通過を許容し、メダル投入口１９に適正なタイミングでメダルが投入されなかった場合、もしくは、メダル投入口１９から投入されたメダルが適正なメダルでなかった場合、このメダルをセレクタ３０の背面側へ落下させる。セレクタ３０から落下されたメダルは、払い出しシュート３２に投入され、メダル受け皿２２に払い出される。他方、セレクタ３０を通過したメダルは、案内通路３０ｂを介してホッパ装置４０に案内される。
【００１４】
ホッパ装置４０はメダルタンク４１を備えており、セレクタ３０を通過したメダルはメダルタンク４１に投入される。メダルタンク４１の下部には、払い出し装置４２が接続されている。払い出し装置４２は、メダルタンク４１に貯留されたメダルを１枚ずつ射出するロータリーディスク（図示せず）備えており、所定の当選役が入賞した際にロータリーディスクを回転させ、入賞した当選役に応じた枚数のメダルを射出開口４２ａから射出する。射出開口４２ａから射出されたメダルは、払い出しシュート３２に投入され、メダル受け皿２２払い出される。また、メダルタンク４１の側面には排出口４３が設けられており、メダルタンク４１が満タンとなると排出口４３からメダルが溢れ出るようになっている。排出口４３から溢れ出たメダルは、ホッパ装置４０の側方に配置されたオーバーフロータンク４４に投入されて回収される。
【００１５】
ホッパ装置４０は、収納箱１２ａに対して着脱自在に設けられている。そして、ホッパ装置４０は、通常は収納箱１２ａに収納された収納位置（図２に示す位置）にセットされており、メダルタンク４１に貯留されたメダルを回収する際、メダルタンク４１に新たなメダルを投入する際、修理などのメンテナンス時には、収納箱１２ａの前方へ引き出された引き出し位置（図３に示す位置）へと移動される。この移動に伴ってメダルタンク４１もまた、収納位置と引き出し位置との間を移動する。
【００１６】
また、ホッパ装置４０では、不正なメダルの抜き取りを防止するために、メダルタンク４１の上面に上面蓋５０を設けている。上面蓋５０は、矩形の枠体５１と、この枠体５１の内部に間隔を空けて平行に配置された複数の仕切部材５２とを備えており、これら仕切部材５２により枠体５１の内部には、複数のスリット状の開口５３が形成されている（図４参照）。そして、案内通路３０ｂからのメダルはこの開口５３を介してメダルタンク４１に投入される。開口５３は、メダルの通過は許容するが手は差し込めないように形状や配置間隔が決定、すなわち、仕切部材５２の配置間隔が決定されている。本実施形態では、仕切部材５２として直径５ｍｍ程度の金属製の棒を用い、これを４ｃｍ程度の間隔で平行に配置している。こうすることで、上面蓋５０が取り付けられているときには、メダルタンク４１からメダルを抜き取れないようにしている。
【００１７】
メダルタンク４１の前側の内壁及び後側の内壁には、上面蓋５０をスライド自在に保持するスライドレール５４、５５が設けられており、メダルタンク４１の側面には、上面蓋５０を差し込むための差し込み口５６が設けられている。そして、上面蓋５０は、スライドレール５４、５６と係合するように差し込み口５６から差し込まれることによってメダルタンク４１の上面に取り付けられる。また、上面蓋５０には、スライド方向の一端部に取っ手５７が設けられておりこの取っ手５７をつかんで差し込み口５６から引き出すことでメダルタンク４１から取り外すことができる。こうすることで、上面蓋５０をメダルタンク４１に固定する場合と比較して、パチンコ店のオペレータがメダルタンク４１にメダルを補充する際やメダルタンク４１からメダルを回収する際の作業性を向上できる。
【００１８】
しかし、収納箱１２ａ内に手を差し込んで上面蓋５０を取り外せてしまうと、下扉１３ｂを少しだけ開放して目立たずにメダルを抜き取ることができてしまう。このため、図４に示すように、スロットマシン１１では、上面蓋５０を取り外す際に上面蓋５０をスライドさせる長さＬ１よりも、取っ手５７と収納箱１２ａの内壁５８との距離Ｌ２が短くなるように構成し、ホッパ装置４０を収納位置にセットしたまま取っ手５７を引いても取っ手５７が内壁５８に当接し（すなわち、内壁５８がストッパとして機能し）、上面蓋５０を取り外すことができないようにしている。このため、メダルタンク４１からメダルを抜き取る際には、上面蓋５０を取り外すために、下扉１３ｂを大きく開放してホッパ装置４０を引き出し位置に移動させる必要があり（図３参照）、メダルを抜き取る行為が目立つので、不正にメダルを抜き取るといった行為を防止することができる。
【００１９】
なお、本発明は、メダルタンクを収納箱から引き出さないと取り外せない上面蓋によりメダルタンクの上面を覆えばよいので、細部の構成は上記実施形態に限定されるものではない。例えば、上面蓋の材質や開口の形状などは適宜設定することができる。また、上面蓋をスライドさせることによって着脱自在とする機構としては、上記実施形態に限定されるものではなく周知の各種機構を用いることができる。
【００２０】
また、上記実施形態では、収納箱の内壁をストッパとして機能させる例で説明をしたが、本発明はこれに限定されるものではない。メダルタンクを収納箱に収納したまま上面蓋を取り外そうとした際に上面蓋と当接して上面蓋の移動を規制することで上面蓋の取り外しを防止するための専用のストッパを設けてもよい。
【００２１】
さらに、上記実施形態では、棒状の仕切部材を用いてスリット状の開口を形成した上面蓋を例に説明をしたが本発明はこれに限定されるものではない。例えば、図５（Ａ）に示す上面蓋６０ように、板状の仕切部材６２を用いてスリット状の開口６３を形成してもよい。なお、図５においては、上述した実施形態と同様の部材については同様の符号を付して説明を省略している。
【００２２】
また、図５（Ｂ）に示す上面蓋７０、並びに、同図（Ｃ）に示す上面蓋８０のように、板状の仕切部材６２を鉛直方向に対して斜めに配置してスリット状の開口７３や開口８３を形成してもよい。さらに、同図（Ｄ）に示す上面蓋９０や、同図（Ｅ）に示す上面蓋１００ように、２枚の仕切部材９１、９２や、仕切部材１０１、１０２によって１つのスリット状の開口９３や開口１０３を形成してもよい。もちろん、同図（Ｆ）に示す上面蓋１１０のように、複数種類の仕切部材１１１、１１２、１１３を組み合わせて複数種類のスリット状の開口１１４、１１５を形成してもよい。
【００２３】
なお、上記実施形態では、リールを駆動させるスロットマシンに本発明を適用したが、例えば液晶ディスプレイによって表示されたリールを回転させる（液晶ディスプレイ上で図柄の変動表示を行わせる）スロットマシンなど他の遊技機に本発明を適用してもよい。
【図面の簡単な説明】
【００２４】
【図１】スロットマシンの外観図である。
【図２】メダルタンクが収納箱に収納され、上面蓋がメダルタンクに取り付けられた状態を示すスロットマシンの外観図である。
【図３】メダルタンクが収納箱から引き出され、上面蓋がメダルタンクから取り外された状態を示すスロットマシンの外観図である。
【図４】メダルタンクが収納箱に収納された状態では上面蓋を取り外すことができないことを示す説明図である。
【図５】上面蓋の断面図である。
【符号の説明】
【００２５】
１１  スロットマシン（遊技機）
１２  スロットマシン本体（遊技機本体）
１２ａ  収納箱
１３ｂ  下扉（前面扉）
４０  ホッパ装置
４１  メダルタンク
５０  上面蓋
５１  枠体
５２、６２、９１、９２、１０１、１０２、１１１、１１２、１１３  仕切部材
５３、７３、８３、９３、１０３、１１４、１１５  開口
５３、５４  スライドレール
５６  差し込み口
５８  内壁
【図１】
2009131302.tif 000003
【図２】
2009131302.tif 000004
【図３】
2009131302.tif 000005
【図４】
2009131302.tif 000006
【図５】
2009131302.tif 000007